(57)【要約】【課題】例えば、コンバインで大豆刈り等を行う場合に、穀稈が掻込リール１５等に当たった際に大豆の莢が割れて穀粒が飛び散ると、リールフレーム２０の穴部Ｓを通過して穀粒が圃場に零れ落ちてしまう課題があった。【解決手段】刈取部４に左右一対の揺動アーム１６によって昇降自在に支持された掻込リール１５を備えるコンバインにおいて、前記掻込リール１５は、左右一対の揺動アーム１６で両端部を回転自在に支持される回転軸１８と、回転軸１８の左右両側に設けられて複数のタイン支持杆１９を支持するリールフレーム２０とを備え、該リールフレーム２０は、回転軸１８に取付けられるハブ部２１と、ハブ部２１から放射状に延びる複数のスポーク部２２と、隣接するスポーク部２２の先端同士を連結する複数の連結部２３から構成されると共に、ハブ部２１とスポーク部２２と連結部２３との間に形成される穴部Ｓを塞ぐカバー体Ｃを着脱可能に構成した。【選択図】図４
2013111009.tif 000002
【特許請求の範囲】
【請求項１】
刈取部（４）に左右一対の揺動アーム（１６，１６）によって昇降自在に支持された掻込リール（１５）を備えるコンバインにおいて、前記掻込リール（１５）は、左右一対の揺動アーム（１６，１６）で両端部を回転自在に支持される回転軸（１８）と、回転軸（１８）の左右両側に設けられて複数のタイン支持杆（１９）を支持するリールフレーム（２０，２０）とを備え、該リールフレーム（２０，２０）は、回転軸（１８）に取付けられるハブ部（２１）と、ハブ部（２１）から放射状に延びる複数のスポーク部（２２）と、隣接するスポーク部（２２）の先端同士を連結する複数の連結部（２３）から構成されると共に、ハブ部（２１）とスポーク部（２２）と連結部（２３）との間に形成される穴部（Ｓ）を塞ぐカバー体（Ｃ）を着脱可能としたことを特徴とするコンバイン。
【請求項２】
前記カバー体（Ｃ）を、透視可能な材料で構成したことを特徴とする請求項１に記載のコンバイン。
【発明の詳細な説明】
【技術分野】
【０００１】
本発明は、刈取部に左右一対の揺動アームによって昇降自在に支持された掻込リールを備えるコンバインに関する。
【背景技術】
【０００２】
従来、コンバインの掻込みリール２７は、左右一対の支持アーム２６，２６に回転自在に支持された駆動軸４０と、駆動軸４０の左右端部に一体回転自在に設けたリールフレーム４１，４１と、左右一対のリールフレーム４１，４１にわたって配置された複数のタイン支持バー４２とを備えて構成してある（例えば、特許文献１参照）。
【先行技術文献】
【特許文献】
【０００３】
【特許文献１】特開２０１１−１７２５３５公報
【発明の概要】
【発明が解決しようとする課題】
【０００４】
上記特許文献１のものは、リールフレーム４１，４１に穴（隣合うアーム４１ａ，４１ａ及び帯板４４で囲まれた空間）が形成されており、例えば、コンバインで大豆刈り等を行う場合に、穀稈が掻込みリール２７やオーガ２５に当たった際に大豆の莢が割れて穀粒が飛び散ると、リールフレーム４１の穴を通過して穀粒が圃場に零れ落ちてしまう課題があった。
【課題を解決するための手段】
【０００５】
本発明は、上記の如き実情に鑑みこれらの課題を解決することを目的として創作されたものであって、刈取部に左右一対の揺動アームによって昇降自在に支持された掻込リールを備えるコンバインにおいて、前記掻込リールは、左右一対の揺動アームで両端部を回転自在に支持される回転軸と、回転軸の左右両側に設けられて複数のタイン支持杆を支持するリールフレームとを備え、該リールフレームは、回転軸に取付けられるハブ部と、ハブ部から放射状に延びる複数のスポーク部と、隣接するスポーク部の先端同士を連結する複数の連結部から構成されると共に、ハブ部とスポーク部と連結部との間に形成される穴部を塞ぐカバー体を着脱可能としたことを特徴とする。
また、前記カバー体を、透視可能な材料で構成したことを特徴とする。
【発明の効果】
【０００６】
以上のように構成される本発明のコンバインによれば、リールフレームは、ハブ部とスポーク部と連結部との間に形成される穴部を塞ぐカバー体を着脱可能としたから、カバー体を外すことで、運転者がリールフレームの穴部から機体左側のデバイダ位置や植立穀稈を視認することが可能となり刈取作業性を向上できる。また、大豆刈り等を行う場合はカバー体を取付けることで、例えば掻込リール等に当たった衝撃で大豆の莢が割れて穀粒が飛び散っても、リールフレームの穴部を通過しようとする穀粒はカバー体で受止められて機体内側に落下するので、穀粒の回収率が高まり穀粒ロスを減少することができる。
また、前記カバー体を、透視可能な材料で構成したから、カバー体を取付けて穀粒ロスを減少できると共に、運転者がカバー体を透視して機体左側のデバイダ位置や刈取材料を視認することが可能となり刈取作業性を向上できる。
【図面の簡単な説明】
【０００７】
【図１】コンバインの左側面図である。
【図２】コンバインの平面図である。
【図３】掻込リールの斜視図である。
【図４】カバー体を取付けた状態を示す掻込リールの斜視図である。
【図５】刈取状態を示すコンバインの要部左側面図である。
【発明を実施するための形態】
【０００８】
次に、本発明の実施の形態の一つを図面に基づいて説明する。
図１はコンバインの左側面図であり、図２はコンバインの平面図である。
１は普通型のコンバインであって、コンバイン１は左右一対のクローラ式走行装置２，２と、クローラ式走行装置２，２上に支持された機体フレーム３とを備えると共に、機体フレーム３上には、その前端に昇降自在に支持されて穀稈の刈取搬送を行う刈取部４と、刈取部４の後方に配置されて供給される穀稈の脱穀処理を行う脱穀部５と、脱穀部５の右側に配置されて脱穀部５で選別処理された穀粒を貯留するグレンタンク６と、グレンタンク６の下部後端に連結されて貯留された穀粒を機外へ排出する排出オーガ７と、刈取部４の後部右側で且つグレンタンク６の前方に配置されて機体の運転操作を行う運転操作部８とを備えた構成となっている。
【０００９】
前記刈取部４は、プラットホーム９と、平面視でプラットホーム９の左側後端に一体的に連結されたフィーダハウス１０とを備え、プラットホーム９の左右両側には前方に突出するデバイダ１１，１１が配置されると共に、その内側には前方から刈刃１２、横送りオーガ１３が配置されている。また、フィーダハウス１０内には搬送コンベア（図示無し）が内装されている。
【００１０】
前記フィーダハウス１０は、その後端側が機体フレーム３の前端に左右方向の軸芯（図示無し）まわりで回動自在に取付支持されており、機体フレーム３とフィーダハウス１０とにわたって取付けられた刈取部昇降シリンダ１４（油圧シリンダ）を伸縮作動させることによって、フィーダハウス１０がその後端側を回動中心として前端側を上下回動動作する。よって、刈取部昇降シリンダ１４を伸縮させると、刈取部４全体を機体フレーム３に対して昇降させることができ、穀稈の刈取高さを上下調整することができる。
【００１１】
また、刈取部４は、掻込リール１５を備え、該掻込リール１５はプラットホーム９に左右方向の軸芯（図示無し）まわりで回動自在に取付られる左右一対の揺動アーム１６，１６によって昇降自在に支持されると共に、揺動アーム１６，１６とプラットホーム９とにわたって取付けられた掻込リール昇降シリンダ１７（油圧シリンダ）を伸縮作動させることによって、掻込リール１５を刈取部本体側（プラットホーム９やフィーダハウス１０等）に対して独立して上下回動させることができ、掻込位置を上下調節することができる。
【００１２】
図３は掻込リールの斜視図である。
掻込リール１５は、左右一対の揺動アーム１６，１６で両端部を回転自在に支持される回転軸１８と、回転軸１８と平行で掻込リール１５の周方向に所定間隔を置いて配置される複数のタイン支持杆１９と、回転軸１８の左右両側に一体的に固設されて複数のタイン支持杆１９を架設する左右一対のリールフレーム２０，２０とを備えている。リールフレーム２０，２０は、回転軸１８に取付けられるハブ部材２１（ハブ部）と、ハブ部材２１から放射状に延びてタイン支持杆１９を支持する複数のスポーク体２２（スポーク部）と、スポーク体２２の先端に穀稈が引っ掛かるのを防止する為に隣り合うスポーク体２２の先端側を連結する複数の連結部材２３（連結部）とを備えている。前記スポーク体２２はスポーク部材２２ａとその先端部に設けた樹脂製のブロック部材２２ｂとから構成され、タイン支持杆１９はその両端部をブロック部材２２ｂによって回動自在に支持されている。
【００１３】
また、図１及び図２に示されるように、掻込リール１５の右側外側には、前記回転軸１８とは異なる偏心軸芯（図示無し）まわりで回転する補助リールフレーム２５及びリンク部材２６等を備えたタイン姿勢保持機構Ｈを備えている。タイン支持杆１９の端部に基部を固定したリンク部材２６の先端部は補助リールフレーム２５側に枢支されており、掻込リール１５の駆動力によって補助リールフレーム２５が偏心軸芯まわりで回転すると、リンク部材２６を介してタイン支持杆１９が回動操作され、タイン支持杆１９のタイン１９ａを、掻込リール１５の回転にかかわらず下向きの姿勢を保持するように構成されている。
【００１４】
次に本発明を採用した掻込リールのヘッドロス（穀粒ロス）防止構造について説明する。
図４はカバー体を取付けた状態を示す掻込リールの斜視図であり、カバー体Ｃが取付けられる以外は図３の掻込リール１５と構成が同一であり、詳細な説明は省略する。
左右のリールフレーム２０，２０には、掻込リール１５の内側から外側に突き抜けている空間部Ｓ（穴部）が形成されている。詳述すると、リールフレーム２０，２０のハブ部材２１とスポーク体２２と連結部材２３との間には側面視で台形状の穴部が６箇所形成されている。本発明では、該空間部Ｓを塞ぐカバー体Ｃ（穀粒飛散防止手段）を取付ボルト２７等の取付手段を介して着脱自在に構成したことを特徴としている。前記カバー体Ｃは空間部Ｓの形状に合わせて台形状の板体で構成されると共に、台形の四隅を取付ボルト２７を介してスポーク部材２２ａに取付固定できる構成としている。また、カバー体Ｃはステンレス材を使用して錆つきを防止している。尚、本実施形態では、カバー体Ｃをスポーク部材２２ａのみに取付けた構成としたが、これに限らずハブ部材２１や連結部材２３に取付支持する構成としても良い。
【００１５】
本発明の作用効果について説明する。
図５は刈取状態を示すコンバインの要部左側面図であり、左右のデバイダ１１，１１で植立穀稈を分草し、左右のデバイダ１１，１１間に入り込んだ植立穀稈を掻込リール１５で掻き込みながら株元を刈刃１２（図示無し）で切断し、切断された刈取穀稈を前記掻込リール１５でプラットホーム９内に掻き入れる。掻き込まれた穀稈は横送りオーガ１３のラセン（図示無し）により集められながら掻込体（図示無し）でフィーダハウス１０の供給口に供給される。フィーダハウス１０に供給された穀稈は内装される搬送コンベア（図示無し）により後方へ搬送されて脱穀部５の扱室内に供給されて脱穀処理される。
【００１６】
この時、稲刈り等を行う場合は、図３及び図５で示すようにカバー体Ｃを外すことでコンバインの運転者がリールフレーム２０，２０の空間部Ｓから機体左側のデバイダ１１位置や植立穀稈を視認することが可能となり、刈り始めにおけるコンバイン１の走行位置の調整等が容易となって刈取作業性を向上できる。
ところで、大豆刈り等を行う場合は、例えば大豆が乾燥していたりすると掻込リール１５や横送りオーガ１３に当たった衝撃によって莢が割れて中身が飛び出し、図５に示すように飛び散った穀粒がリールフレーム２０，２０の空間部Ｓ（穴部）を通過して圃場に零れ落ちることがある。この場合は図４で示すように前記空間部Ｓを塞ぐカバー体Ｃ（飛散防止手段）を取付けることで、空間部Ｓに向かって飛散した穀粒をカバー体Ｃによって受止めてプラットホーム９内に落下させるから、空間部Ｓからの穀粒ロスを防止して穀粒の回収率を高めることができる。そして、カバー体Ｃはステンレス材を使用して錆つきを防止したから、カバー体Ｃに当たった穀粒に錆がついて汚粒となることを防止できる。
尚、稲刈り等を行う場合は、穀稈が掻込リール１５や横送りオーガ１３に当たっても穀粒の飛散が少ないため飛散防止手段の必要性は低いが、材料状況によってはカバー体Ｃを取付けて作業をしてもよい。即ち、植立穀稈が真っ直ぐに立っておらず穂先側が左右に傾いて倒れていると、回転しているリールフレーム２０，２０の空間部Ｓ（穴部）に穀稈の穂先が入り込んで巻付き易いという不具合が生じるが、カバー体Ｃ（巻付防止手段）を取付けることで、空間部Ｓへの穀稈の入り込みを阻止して刈取作業を良好に行うことができる。
【００１７】
本実施形態では、カバー体Ｃをステンレス材で構成したが、これに限らず緩衝材を使用して構成してもよく、この場合は衝突した穀粒の反発が抑えられて穀粒回収率が向上する。
また、前記カバー体Ｃは透視可能な材料（透明な樹脂板、又はビニールシート等）で構成してもよく、この場合は穀粒ロスを減少できると共に、コンバイン１の運転者がカバー体Ｃを透視して機体左側のデバイダ１１位置や植立穀稈を視認することが可能となり、刈り始めにおけるコンバイン１の走行位置の調整等が容易となって刈取作業性を向上できる。
【００１８】
叙述の如く構成されたものにおいて、刈取部４に左右一対の揺動アーム１６，１６によって昇降自在に支持された掻込リール１５を備えるコンバインにおいて、前記掻込リール１５は、左右一対の揺動アーム１６，１６で両端部を回転自在に支持される回転軸１８と、回転軸１８の左右両側に設けられて複数のタイン支持杆１９を支持するリールフレーム２０，２０とを備え、該リールフレーム２０，２０は、回転軸１８に取付けられるハブ部２１と、ハブ部２１から放射状に延びる複数のスポーク部２２と、隣接するスポーク部２２の先端同士を連結する複数の連結部２３から構成されると共に、ハブ部２１とスポーク部２２と連結部２３との間に形成される穴部Ｓを塞ぐカバー体Ｃを着脱可能としたから、カバー体Ｃを外すことで、運転者がリールフレーム２０の穴部Ｓから機体左側のデバイダ１１位置や植立穀稈を視認することが可能となり刈取作業性を向上できる。また、大豆刈り等を行う場合はカバー体Ｃを取付けることで、例えば掻込リール１５等に当たった衝撃で大豆の莢が割れて穀粒が飛び散っても、リールフレーム２０，２０の穴部Ｓを通過しようとする穀粒はカバー体Ｃで受止められて機体内側に落下するので、穀粒の回収率が高まり穀粒ロスを減少することができる。
また、前記カバー体Ｃを、透視可能な材料で構成したから、カバー体Ｃを取付けて穀粒ロスを減少できると共に、運転者がカバー体Ｃを透視して機体左側のデバイダ１１位置や刈取材料を視認することが可能となり刈取作業性を向上できる。
【符号の説明】
【００１９】
４    刈取部
１５    掻込リール
１６    揺動アーム
１８    回転軸
１９    タイン支持杆
２０    リールフレーム
２１    ハブ部材（ハブ部）
２２    スポーク体（スポーク部）
２２ａ  スポーク部材
２２ｂ  ブロック部材
２３    連結部材（連結部）
Ｓ    空間部（穴部）
Ｃ    カバー体
【図１】
2013111009.tif 000003
【図２】
2013111009.tif 000004
【図３】
2013111009.tif 000005
【図４】
2013111009.tif 000006
【図５】
2013111009.tif 000007